(57)【要約】      （修正有）【課題】コネクタの伝送速度と複数の高周波性能要件を同時に満たすＰＳＡＳメスコネクタを提供する。【解決手段】ＳＡＴＡ７Ｐｉｎ端子２１には両側にシールド３があり、ＳＡＴＡ７Ｐｉｎ内部シールドシート３２はＳＡＴＡ７Ｐｉｎ導電性プラスチック１１とＳＡＴＡ７Ｐｉｎ端子リモートソケットに同時に接続される。オスとメスが嵌合した後、ＳＡＴＡ７Ｐｉｎ外部シールドシート３１は、主な導電性プラスチックと、嵌合プラグの近くのＳＡＴＡ７Ｐｉｎ接地端子に同時に接触する。したがって、ＳＡＴＡ７Ｐｉｎ端子と外部および内部のシールドシートを同時にチャネリングして、高周波性能要件を満たすことができる。【選択図】図１
0003232715.tif 000002
【実用新案登録請求の範囲】
【請求項１】
フレームパーツ、端子パーツ、シールド、を含むＰＳＡＳメスコネクタであって、
前記フレームパーツは導電性プラスチックを含み、前記導電性プラスチックは前記フレームパーツの内側に配置され、
前記端子パーツは前記フレームパーツに挿入され、前記端子パーツにはＳＡＴＡ７Ｐｉｎ端子グループが含まれ、前記ＳＡＴＡ７Ｐｉｎ端子グループには、ＳＡＴＡ７Ｐｉｎ端子、プラスチックフレームパーツ、およびＳＡＴＡ７Ｐｉｎ導電性プラスチックが含まれ、前記ＳＡＴＡ７Ｐｉｎ端子は前記プラスチックフレームパーツに挿入され、前記ＳＡＴＡ７Ｐｉｎ導電性プラスチックは前記プラスチックフレームパーツに固定され、前記ＳＡＴＡ７Ｐｉｎ端子は前記プラスチックフレームパーツにロックされ、
前記シールドには、ＳＡＴＡ７Ｐｉｎ外部シールドシートとＳＡＴＡ７Ｐｉｎ内部シールドシートが含まれ、
前記ＳＡＴＡ７Ｐｉｎ端子グループを前記フレームパーツに挿入すると、前記ＳＡＴＡ７Ｐｉｎ外部シールドシートが前記プラスチックフレームパーツの片側にしっかりと取り付けられ、前記フレームパーツの外側に配置され、前記ＳＡＴＡ７Ｐｉｎ内部シールドシートが前記ＳＡＴＡ７Ｐｉｎ導電性プラスチックの反対側にしっかりと取り付け、前記フレームパーツの内側に配置され、前記ＳＡＴＡ７Ｐｉｎ内部シールドシートは、前記ＳＡＴＡ７Ｐｉｎ端子のリモートソケット端に接続され、メスコネクタが他のオスメスコネクタと嵌合および嵌合された後、前記ＳＡＴＡ７Ｐｉｎ外部シールドシートが前記ＳＡＴＡ７Ｐｉｎ端子の嵌合端に接続されることを特徴とする、ＰＳＡＳメスコネクタ。
【請求項２】
前記端子パーツにはＳＡＳ４０Ｐｉｎ端子グループが含まれ、ＳＡＳ４０Ｐｉｎ端子グループを前記フレームパーツに挿入すると、ＳＡＳ４０ＰｉｎシールドシートはＳＡＳ４０Ｐｉｎ端子グループの片側に密着し、前記フレームパーツの外側に配置され、請求項１に記載のＰＳＡＳメスコネクタ。
【請求項３】
リアカバーを含み、前記端子パーツと前記シールドの組み合わせを前記フレームパーツに挿入すると、前記リアカバーが前記フレームパーツの外側に固定され、前記端子パーツと前記シールドの前記組み合わせが前記フレームパーツにシールされてロックされる請求項１に記載のＰＳＡＳメスコネクタ。
【請求項４】
固定シートを含み、前記フレームパーツの両端に前記固定シートを挿入し、前記固定シートのヘッドを前記フレームパーツに通してＰＣＢ基板に固定する請求項１に記載のＰＳＡＳメスコネクタ。
【考案の詳細な説明】
【技術分野】
【０００１】
本考案は、コネクタ構造に関し、特にＰＳＡＳメスコネクタの構造に関する。
【背景技術】
【０００２】
業界既存のＰＳＡＳメスコネクタは３２Ｇｂｐｓの伝送速度に達することができ、これはエンタープライズレベルのサーバーおよび関連する高速伝送システムで使用される。データストレージの量が増え続けるにつれて、コネクタの伝送速度と複数の高周波性能要件を同時に満たす能力が高まり続ける。
【先行技術文献】
【特許文献】
【０００３】
【特許文献１】実用新案登録第3228859号公報
【考案の概要】
【考案が解決しようとする課題】
【０００４】
本考案は、上記公知技術的問題を解決することを課題とする。本考案は、構造最適化を通じて、既存のコネクタの不十分な伝送速度および複数の高周波性能要件を満たすことができないという問題を解決するために、同時イプのＰＳＡＳメスコネクタを提供する。
【課題を解決するための手段】
【０００５】
具体的には、現在の実用新案によって提供される技術的解決策は次のとおり、フレームパーツ、端子パーツ、シールド部品を具体的に含む新しいタイプのＰＳＡＳメスコネクタ。フレームパーツには、主な導電性プラスチックが含まれ、主な導電性プラスチックはフレームパーツの内側に配置され、端子パーツはフレームパーツに挿入され、端子パーツにはＳＡＴＡ７Ｐｉｎ端子グループが含まれる。ＳＡＴＡ７Ｐｉｎ端子グループには、ＳＡＴＡ７Ｐｉｎ端子、プラスチックフレームパーツ、およびＳＡＴＡ７Ｐｉｎ導電性プラスチックが含まれ、  ＳＡＴＡ７Ｐｉｎ端子はプラスチックフレームパーツに挿入され、ＳＡＴＡ７Ｐｉｎ導電性プラスチックはプラスチックフレームパーツに固定され、ＳＡＴＡ７Ｐｉｎ端子はプラスチックフレームパーツにロックされる。シールドには、ＳＡＴＡ７Ｐｉｎ外部シールドシートとＳＡＴＡ７Ｐｉｎ内部シールドシートが含まれ、ＳＡＴＡ７Ｐｉｎ端子グループをフレームパーツに挿入すると、ＳＡＴＡ７Ｐｉｎ外部シールドシートがプラスチックフレームパーツの片側に密着し、フレームパーツの外側になり、ＳＡＴＡ７Ｐｉｎ内部シールドシートは、ＳＡＴＡ７Ｐｉｎ導電性プラスチックの反対側のフレームパーツ内部にしっかりと取り付けられる。ＳＡＴＡ７Ｐｉｎ内部シールドシートは、ＳＡＴＡ７Ｐｉｎ端子のリモートソケット端に接続され、このメスコネクタが他のオスメスコネクタと嵌合および嵌合された後、ＳＡＴＡ７Ｐｉｎ外部シールドシートがＳＡＴＡ７Ｐｉｎ端子の嵌合端に接続され、好ましくは、ＰＳＡＳメスコネクタに含まれる端子部品は、ＳＡＳ４０Ｐｉｎ端子グループを含む。ＳＡＳ４０Ｐｉｎ端子グループをフレームパーツに挿入すると、ＳＡＳ４０ＰｉｎシールドシートはＳＡＳ４０Ｐｉｎ端子グループの片側に密着し、フレームパーツの外側に配置され、好ましくは、ＰＳＡＳメスコネクタはまた、リアカバーに関連している。端子パーツとシールドの組み合わせをフレームパーツ内に挿入した場合、リアカバーがフレームパーツの外側に固定され、端子パーツとシールドの組み合わせがフレームパーツに密封されてロックされる。好ましくは、ＰＳＡＳメスコネクタはまた、固定シートに関連する。フレームパーツの両端に固定シートを挿入し、固定シートのヘッドをフレームパーツに通してＰＣＢ基板に固定される。
【考案の効果】
【０００６】
本考案上記の構造技術によって、本考案の効果は次のとおり提供することができる。示された構造技術的解決策と比較して、この構造技術的解決策は、構造最適化を通じて、既存のコネクタの不十分な伝送速度と複数の高周波性能要件を同時に満たすことができないという問題を解決するための新しいタイプのＰＳＡＳメスコネクタに関連する。本考案には主に次のものが含まれ、ＳＡＴＡ７Ｐｉｎ端子には両側にシールドがあり、ＳＡＴＡ７Ｐｉｎ内部シールドシートはＳＡＴＡ７Ｐｉｎ導電性プラスチックとＳＡＴＡ７Ｐｉｎ端子リモートソケットに同時に接続される。オスとメスが嵌合した後、ＳＡＴＡ７Ｐｉｎ外部シールドシートは、主な導電性プラスチックと、嵌合プラグの近くのＳＡＴＡ７Ｐｉｎ接地端子に同時に接触する。したがって、ＳＡＴＡ  ７Ｐｉｎ端子と外部および内部のシールドシートを同時にチャネリングして、高周波性能要件を満たすことができる。
【図面の簡単な説明】
【０００７】
【図１】本考案のＰＳＡＳメスコネクタの分解図である。
【図２】ＳＡＴＡ７Ｐｉｎ端子グループの分解図である。
【図３】本考案のＰＳＡＳメスコネクタ（嵌合なし）の側面断面図である。
【図４】本考案のＰＳＡＳメスコネクタ（オスコネクタと嵌合）の側面断面図である。
【考案を実施するための形態】
【０００８】
以下は、添付の図１から４および特定の実施形態を参照して本実用新案を詳細に説明するが、本実用新案を限定することを意図するものではない。
【０００９】
［第１の実施形態］
図１から図２に示されるように、本考案のＰＳＡＳメスコネクタは、特に、フレームパーツ１、端子パーツ２、およびシールド３を含む。フレームパーツ１は、主な導電性プラスチック１１を含む。主な導電性プラスチック１１は、フレームパーツ１の内側に配置され、端子パーツ２はフレームパーツ１に挿入され、端子パーツ２はＳＡＴＡ７Ｐｉｎ端子グループ２１を含み、ＳＡＴＡ７Ｐｉｎ端子グループ２１は、ＳＡＴＡ７Ｐｉｎ端子２３、プラスチックフレームパーツ２４、およびＳＡＴＡ７Ｐｉｎ導電性プラスチック２５を含む。ＳＡＴＡ７Ｐｉｎ端子２３はプラスチックフレームパーツ２４に挿入され、ＳＡＴＡ７Ｐｉｎ導電性プラスチック２５はプラスチックフレームパーツ２４にクランプされ、ＳＡＴＡ７Ｐｉｎ端子２３はプラスチックフレームパーツ２４にロックされます。図３および４に示されるように、シールド３は、ＳＡＴＡ７Ｐｉｎ外部シールドシート３１およびＳＡＴＡ７Ｐｉｎ内部シールドシート３２を含む。ＳＡＴＡ７Ｐｉｎ端子グループ２１がフレームパーツ１に挿入されると、ＳＡＴＡ７Ｐｉｎ外部シールドシート３１は、プラスチックフレームパーツ２４の側面に密接に取り付けられ、フレームパーツ１の外側に配置される。ＳＡＴＡ７Ｐｉｎ内部シールドシート３２は、ＳＡＴＡ７Ｐｉｎ導電性プラスチック２５の反対側に密接に取り付けられており、フレームパーツ１の内側に配置される。ＳＡＴＡ７Ｐｉｎ内部シールドシート３２は、ＳＡＴＡ７Ｐｉｎ端子２３のリモート嵌合プラグ端部に接続される。メスコネクタを他のオスメスコネクタと嵌合・嵌合した後、ＳＡＴＡ７Ｐｉｎ外部シールドシート３１と嵌合端付近のＳＡＴＡ７Ｐｉｎ端子２３を接続する。
【００１０】
［第２の実施形態］
図２〜４に示すように、第１の実施形態に基づき、ＰＳＡＳメスコネクタに関与するＳＡＳ４０Ｐｉｎ端子グループ２２がフレームパーツ１内にある場合、ＳＡＳ４０Ｐｉｎシールドシート３３は、ＳＡＳ４０Ｐｉｎ端子グループ２２の側面に密着している、フレームパーツ１の外側にある。ＰＳＡＳメスコネクタはリアカバー４にも関し、端子パーツ２とシールド３アセンブリがフレームパーツ１に挿入されると、リアカバー４がフレームパーツ１の外側にクランプされ、端子パーツ２とシールド３アセンブリがフレームパーツ１に密封されてロックされる。ＰＳＡＳメスコネクタは固定シート５にも関し、フレームパーツ１の両端に固定シート５を挿入し、固定シート５のヘッドをフレームパーツ１に通してＰＣＢに固定する。本考案は本質的な機能から逸脱しない、他の技術によって実装できることが、技術的な常識から知ることができる。したがって、上記の示された実施形態は、すべての態様において単に例示的なものであり、唯一のものではない。本考案は実用新案と同等の範囲内のすべての変更は、本考案に含まれる。
【符号の説明】
【００１１】
１  フレームパーツ
１１主な導電性プラスチック
２    端子パーツ
２１  ＳＡＴＡ７Ｐｉｎ端子グループ
２２  ＳＡＳ４０Ｐｉｎ端子グループ
２３  ＳＡＴＡ７Ｐｉｎ端子
２４  プラスチックフレームパーツ
２５  ＳＡＴＡ７Ｐｉｎ導電性プラスチック
３    シールド
３１  ＳＡＴＡ７Ｐｉｎ外部シールドシート
３２  ＳＡＴＡ７Ｐｉｎ内部シールドシート
３３  ＳＡＳ４０Ｐｉｎシールドシート
４    リアカバー
５    固定シート
【図１】
0003232715.tif 000003
【図２】
0003232715.tif 000004
【図３】
0003232715.tif 000005
【図４】
0003232715.tif 000006